(57)【特許請求の範囲】
【請求項１】
第一の係止環を先端に有する一対の第一ノーズステーを備えるフレームに眼鏡レンズ組立体を止着する眼鏡レンズ組立体の止着構造であって、眼鏡レンズ組立体は第二の係止環を先端に有する一対の第二ノーズステーを備え、当接させた第一と第二の両係止環をノーズパッドで係止することを特徴とする、眼鏡レンズ組立体の止着構造。
【請求項２】
ノーズパッドはパッド部と嵌合部とから成り、当接させた第一と第二の係止環の環内に嵌合部を貫通させて両係止環を係止することを特徴とする、請求項１に記載の眼鏡レンズ組立体の止着構造。
【請求項３】
嵌合部は先端に係止爪を備え、止着時に係止爪が第一と第二の係止環の当接を保持することを特徴とする、請求項１又は請求項２に記載の眼鏡レンズ組立体の止着構造。  
【請求項４】
ノーズパッドは側面に開口部を有する中空構造であり、当接させた第一と第二の係止環にノーズパッドを被せて両係止環を係止することを特徴とする、請求項１に記載の眼鏡レンズ組立体の止着構造。
【請求項５】
第一の係止環を先端に有する一対の第一ノーズステーを備えるフレームにフルリム型眼鏡レンズ組立体を止着する眼鏡レンズ組立体の止着構造であって、フルリム型眼鏡レンズ組立体は、眼鏡レンズを抱持するリム部に第二の係止環を先端に有する一対の第二ノーズステーを備え、当接させた第一と第二の両係止環をノーズパッドで係止することを特徴とする、眼鏡レンズ組立体の止着構造。
【請求項６】
係止環を先端に有する一対のノーズステーを備えるフレームにフルリム型眼鏡レンズ組立体を止着する眼鏡レンズ組立体の止着構造であって、フルリム型眼鏡レンズ組立体は、眼鏡レンズを抱持するリム部に、嵌合部を有する一対のステー一体型ノーズパッドを備え、嵌合部を第一の係止環に嵌合させて係止することを特徴とする、眼鏡レンズ組立体の止着構造。
【請求項７】
請求項１乃至６に記載の眼鏡レンズ組立体の止着構造のいずれかを備えた眼鏡。
【発明の詳細な説明】
【技術分野】
【０００１】
本発明は、いわゆるリムレス型の眼鏡フレームに、左右の眼鏡レンズを有する眼鏡レンズ組立体を止着するための止着構造、及び該止着構造を有する眼鏡に関する。
【背景技術】
【０００２】
眼鏡フレームは、テンプルやノーズパッドを備えたリムに左右のレンズを抱持させる構造が一般的であるが、近年はフレームのデザインが多様化し、左右のレンズを組み合わせた眼鏡レンズ組立体をリムを介さず直接止着するリムレス型の眼鏡フレームも普及している。
【０００３】
一方、コンピュータシステムの小型化・軽量化の進展により、リムレス型の眼鏡フレームに超小型のコンピュータ及びディスプレイ等のデバイスを装備し、人間が頭部に装着可能ないわゆる「ウェアラブル・コンピュータ」が提案され、開発されている。
【特許文献１】米国特許ＵＳ０Ｄ０６５９７３９
【特許文献２】米国特許ＵＳ０Ｄ０６５９７４０
【特許文献３】米国特許ＵＳ０Ｄ０６５９７４１
【非特許文献１】「Project Glass」http://japanese.engadget.com/2012/04/04/google-ar-project-glass/
【０００４】
ただ、これらのウェアラブル・コンピュータは、眼鏡を必要としない人用の、フレームにデバイスのみを装備したものか、あるいは既存の眼鏡フレームにデバイスを後付けするものに限られるため、前者は眼鏡着用者が使用できず、後者は度付眼鏡にデバイスを最適な状態で装備することが困難な場合があるという問題がある。
【０００５】
ここで、デバイスを装備したリムレス型の眼鏡フレームに、左右の眼鏡レンズを一体化した任意の眼鏡レンズ組立体を最適な状態で着脱可能に止着することができれば、上記の問題を解決して、眼鏡着用者にも非着用者にも共通して適用できるウェアラブル・コンピュータを実現することができる。
【発明の開示】
【発明が解決しようとする課題】
【０００６】
本発明は、かかる事情を鑑みて為されたものであり、規格化された単一のデバイス付フレームに任意の眼鏡レンズを組み合わせた眼鏡レンズ組立体を着脱可能に止着できる眼鏡レンズ組立体の止着構造及び眼鏡を提供するものである。
【課題を解決するための手段】
【０００７】
上記課題を解決するために、請求項１に記載した眼鏡レンズ組立体の止着構造は、第一の係止環を先端に有する一対の第一ノーズステーを備えるフレームに眼鏡レンズ組立体を止着する眼鏡レンズ組立体の止着構造であって、眼鏡レンズ組立体は第二の係止環を先端に有する一対の第二ノーズステーを備え、当接させた第一と第二の両係止環をノーズパッドで係止することを特徴とする。
【０００８】
フレームは、フレーム本体の、通常の眼鏡フレームではブリッジに相当する箇所に一対の第一ノーズステーを下方に向けて取り付けた形状とし、各第一ノーズステーの先端には略楕円形の第一の係止環を一体的に備えたものとする。フレーム本体及び第一ノーズステー、第一の係止環の素材は任意であるが、フレーム本体及び第一ノーズステーの素材は、チタン等の金属あるいは樹脂等の弾力性を有するものが好適であり、フレームと第一ノーズステーは、別部材を溶接・溶着・接着その他の方法で取り付けても良いし、両部材を一体成型しても良い。
【０００９】
一方、眼鏡レンズ組立体は、左右の眼鏡レンズの内側端をブリッジ部材で接続したいわゆるツーポイント型のリムレス眼鏡とし、ブリッジ部材には先端に第二の係止環を一体的に備える一対の第二ノーズステーを下方に向けて取り付ける。ブリッジ部材及び第二ノーズステー、第二の係止環の素材も任意であるが、ブリッジ部材及び第二のノーズステーの素材は、やはりチタン等の金属あるいは樹脂等の弾力性を有するものが好適であり、ブリッジ部材と第二ノーズステーは、別部材を溶接・溶着・接着・ネジ留めその他の方法で取り付けても良いし、両部材を一体成型しても良い。
【００１０】
フレームへの眼鏡レンズ組立体の止着は、フレームに対して下方から眼鏡レンズ組立体を、一対の第一ノーズステーの内側に第二ノーズステーの外側が接触するように差し込み、一対の第一の係止環の内側面に一対の第二の係止環の外側面をそれぞれ当接させ各係止環を一致させた上で、両係止環の内側にノーズパッドを貫通させて係止する。
【００１１】
かかる構成により、フレームと眼鏡レンズ組立体とは、一対のノーズパッドのみを接合部材として着脱可能に止着されるから、ノーズパッドを着脱するだけで容易にフレームと眼鏡レンズを一体化又は分離できる極めて簡易な止着構造を実現できる。また、ノーズパッドによって第一と第二の係止環を係止することにより、第一と第二のノーズステーも所定の位置関係で一体的に保持されるから、眼鏡レンズ組立体はフレームに対して最適な位置及び角度で係止されるのである。
【００１２】
これにより、所定の共通仕様に基づき設計された複数の眼鏡レンズ組立体をフレームに対して自由に交換して止着できるため、一つのフレームで、用途に応じて複数の眼鏡やサングラスとして利用可能となる。
【００１３】
なお、かかる眼鏡レンズ組立体のフレームへの止着構造は、フレームへのデバイスの装着の有無とは無関係であるから、デバイスを装備するフレームに適用した場合はウェアラブル・コンピュータ付の度付眼鏡として利用できるし、デバイス非装備のフレームに適用した場合は、単なる眼鏡やサングラスとしても利用できる。
【００１４】
次に、請求項２に記載した発明は、請求項１に記載した眼鏡レンズ組立体の止着構造であって、ノーズパッドがパッド部と嵌合部とから成り、当接させた第一と第二の係止環の環内に嵌合部を貫通させて両係止環を係止することを特徴とする。
【００１５】
本発明の構成によれば、ノーズパッドの嵌合部が当接させた第一と第二の係止環の環内を貫通して両係止環を係止し、第二の係止環の内側のパッド部が使用者の鼻梁に当接して眼鏡レンズ組立体を顔面の適切な位置に保持する。
【００１６】
この場合のノーズパッドは、ゴム等の弾性を有する素材で構成し、嵌合部の外径を係止環の内径より僅かに大きくしておくことにより、第一及び第二の係止環をまとめて貫通する際に圧縮された嵌合部がその弾性反発により両係止環の内側を圧迫して強固に係止するため、ノーズパッドが容易に両係止環から脱落することを防ぐ。
【００１７】
次に、請求項３に記載した発明は、請求項１又は請求項２に記載した眼鏡レンズ組立体の止着構造であって、ノーズパッドの嵌合部が先端に係止爪を備え、止着時に係止爪が第一と第二の係止環の当接を保持することを特徴とする。
【００１８】
本発明の構成によれば、ノーズパッドの嵌合部が第一及び第二の係止環をまとめて貫通した後に、第二の係止環から突出した嵌合部先端の係止爪が第二の係止環の内側表面をロックして両係止環を一体的に係止することにより、ノーズパッドが容易に両係止環から脱落することを防ぐ。
【００１９】
この場合のノーズパッドは、係止爪が両係止環の環内を通過する際に嵌合部に収容され、通過後に突出する構造としておけば、パッド部や嵌合部自体は必ずしも弾性を有する素材である必要はなく、硬質プラスティックや金属等の非弾性素材を用いても良い。
【００２０】
次に、請求項４に記載した発明は、請求項１に記載した眼鏡レンズ組立体の止着構造であって、ノーズパッドが側面に開口部を有する中空構造であり、当接させた第一と第二の係止環にノーズパッドを被せて両係止環を係止することを特徴とする。
【００２１】
本発明におけるノーズパッドは、ゴムや軟質プラスティック等の弾性を有する素材から成るいわば中空の袋状の構成とする。当接させた状態の第一と第二の係止環を開口部に挿入し、両係止環をまとめてノーズパッドで覆ってしまうことにより、両係止環を係止するものである。これにより、係止された両係止環は外部から視認されなくなり、一体化された第一及び第二のノーズステーの先端にノーズパッドのみが取り付けられた外観を呈するから、シンプルですっきりとしたデザインを実現できる。
【００２２】
次に、請求項５に記載した眼鏡レンズ組立体の止着構造は、第一の係止環を先端に有する一対の第一ノーズステーを備えるフレームにフルリム型眼鏡レンズ組立体を止着する眼鏡レンズ組立体の止着構造であって、フルリム型眼鏡レンズ組立体は、眼鏡レンズを抱持するリム部に第二の係止環を先端に有する一対の第二ノーズステーを備え、当接させた第一と第二の両係止環をノーズパッドで係止することを特徴とする。
【００２３】
本発明は、左右の眼鏡レンズの外周縁全体をリムで抱持するいわゆるフルリム型の眼鏡レンズ組立体をフレームに止着する場合の構成に係る。フルリム型眼鏡レンズ組立体は、眼鏡レンズを抱持する左右のリムをブリッジ部で接続して一体化した上で、ブリッジ部に、第一係止環先端に第二の係止環を有する第二ノーズステーを下方に向けて取り付けた構成としている。フレームへの止着構造自体は、請求項１乃至請求項４のいずれかに記載した眼鏡レンズ組立体の止着構造と共通である。
【００２４】
次に、請求項６に記載した発明は、係止環を先端に有する一対のノーズステーを備えるフレームにフルリム型眼鏡レンズ組立体を止着する眼鏡レンズ組立体の止着構造であって、フルリム型眼鏡レンズ組立体は、眼鏡レンズを抱持するリム部に、嵌合部を有する一対のステー一体型ノーズパッドを備え、嵌合部を第一の係止環に嵌合させて係止することを特徴とする。
【００２５】
本発明は、請求項５に記載したフルリム型眼鏡レンズ組立体における第二ノーズステーの代わりに、リム部自体がこれに相当するステー一体型ノーズパッドを有し、その先端に設けた嵌合部をフレーム側のノーズステーの係止環に嵌合させて係止する。
【００２６】
かかる構成によれば、第二ノーズステーは不要となり、フルリム型眼鏡レンズ組立体をノーズパッドを含めて一体成型できるため、部品点数を削減できるだけでなく、デザイン的にも簡素化が図られ、より優れたものとすることができる。この場合、ステー一体型ノーズパッドの先端に設ける嵌合部は、請求項２又は請求項３に記載した発明における嵌合部のいずれかの構成を適用することができる。
【００２７】
最後に、請求項７に記載した発明は、請求項１乃至６に記載の眼鏡レンズ組立体の止着構造のいずれかを備えた眼鏡である。
【発明の効果】
【００２８】
以上述べた本発明に係る眼鏡レンズ組立体の止着構造によれば、フレーム側の規格化されたノーズステー及び係止環に対応する仕様の係止環又は嵌合部を備えたノーズ部材を有するものであれば、様々な眼鏡レンズ組立体を自由かつ簡易に脱着可能に止着することが可能となる。
【００２９】
そのため、一つのフレームで、用途やＴＰＯに応じて多様なデザインの眼鏡あるいはサングラス等を構成することができ、使用者にとっては眼鏡選びの選択肢の拡大と
ファッション性の向上が期待でき、また、眼鏡フレームのデザイナーにとっては、フレームのデザイン・設計の自由度を拡大する効果が期待できるという効果が期待できる。
【００３０】
また、ウェアラブル・コンピュータへの適用においては、高価なデバイスを装備したフレームを単体でも、あるいは様々な眼鏡レンズ組立体を交換可能に止着しても使用できるため、眼鏡を必要としない使用者、必要とする使用者を問わず単一の仕様のフレームを使用することができるだけでなく、場合により、複数の使用者が一つのデバイス装備フレームを共用することも可能となるため、ウェアラブル・コンピュータの普及をより一層促進する効果が期待できる。
【発明を実施するための最良の形態】
【００３１】
以下に、本発明を実施するための形態について、図面を参照して説明する。
【００３２】
図１は、本発明を適用するフレーム１を前方及び斜め上方から見た斜視図である。フレーム１は、アッパーリムとテンプルを一本の弧状の部材で一体化したフレーム本体１０と、一般的な眼鏡フレームのブリッジ部分に相当する正面中央部の下面に下方に向けて取り付けた、先端に第一の係止環１２を有する一対の第一ノーズステー１１とから構成され、各第一の係止環１２にはノーズパッド３を取り付ける。また、本図ではフレーム１の右テンプル部にウェアラブル・コンピュータのデバイス１４を装着している。
【００３３】
（第一実施形態）
図２は、本発明の第一実施形態として、フレーム１にツーポイント型の眼鏡レンズ組立体２を止着する場合の構成を前方から見た状態を示す斜視図であり、上図はフレーム１への眼鏡レンズ組立体２の止着前、下図は止着後を示している。眼鏡レンズ組立体２は、左右の眼鏡レンズ２０Ｌ、２０Ｒをブリッジ部材２３で連結しており、ブリッジ部材２３には下方に向けて先端に第二の係止環２２を有する一対の第二ノーズステー２１を取り付けている。
【００３４】
図３は、同じく本発明の第一実施形態に係る眼鏡レンズ組立体２のフレーム１への止着構造を上方から見た状態を示す斜視図であり、上図は止着前、下図は止着後を示している。止着時には、眼鏡レンズ組立体２をフレーム１の下後方から上前方に向けて当接させ、第一ノーズステー１１の内側に第二ノーズステー２１を、第一の係止環１２の内側に第二の係止環２２を一致させて当接し、両係止環２１、２２の環内にノーズパッド３を貫通させて係止する。
【００３５】
図４は、本発明の第一実施形態におけるノーズパッド３による両係止環２１、２２の係止状態を説明する拡大斜視図であり、左図は係止前、右図は係止後を示している。本図におけるノーズパッド３は、使用者の鼻梁に当接するパッド部３０と両係止環２１、２２を貫通する嵌合部３１とから成るが、嵌合部３１の嵌合断面は両係止環２１、２２の環内径に対応する形状とし、その先端は嵌合断面よりやや大きなストッパー部３２を一体的に設けている。ノーズパッド３の素材として弾力性を有するゴム等を用いることにより、係止時には、ストッパー部３２を変形させて係止環２２側から両係止環１２、２２の環内を通して嵌合部３１を貫通させる。通過後のストッパー部３２がその弾性により原形復帰して係止環１２の外側表面に密着することにより、パッド部３０とストッパー部３２の間に両係止環１２、２２が挟まれる形で一体的に係止されるのである。
【００３６】
図５は、ノーズパッド３に代えて、嵌合部３１の先端に外部に突出した４つの係止爪３３を有するノーズパッド３ｂを適用した場合を示す拡大斜視図であり、左図は係止前、右図は係止後を示している。図４と同様に、係止時には、係止環２２側から両係止環１２、２２の環内を通して嵌合部３１を貫通させるが、嵌合部３１が両係止環１２、２２の環内を通過する際に、係止爪３３は両係止環１２、２２の内側径により一旦嵌合部３１内に押圧収納されるが、通過後に再び外部に突出して係止環１２の外側表面に密着することにより、パッド部３０と係止爪３３との間に両係止環１２、２２が挟まれる形で一体的に係止されるのである。
【００３７】
図６は、ノーズパッド３に代えて、嵌合部３１の側面に係止環１２、２２がそれぞれ嵌合する独立した二重の溝を設けたノーズパッド３ｃを適用した場合を示す拡大斜視図であり、左図は係止前、右図は係止後を示している。この場合は、係止環１２、２２のそれぞれに対応した溝を設け、両係止環１２、２２の間に間隔を開けて係止することが可能であるため、両係止環は必ずしも同形・同大でなくても良い。
【００３８】
図７は、ノーズパッド３に代えて、側面に開口部３４を有する中空構造のノーズパッド３ｄを適用した場合を示す拡大斜視図であり、左図は係止前、右図は係止後を示している。ノーズパッド３ｄは、ゴムや軟質プラスティック等の弾性を有する素材から成るいわば中空の袋状の構成とし、当接させた状態の両係止環１２、２２を開口部に挿入し、まとめてノーズパッド３ｄで覆ってしまうことにより係止する。
【００３９】
図８は、同じくノーズパッド３ｄを用いる係止構造を示すが、第一の係止環１２を環状ではなく略円盤状として、その表面に第二の係止環２２の内側径に一致する浅い凸部１４を設けたものを用いる構成の例を示す拡大斜視図であり、左図から順に係止工程を段階的に示している。本例では、係止時には該凸部１４が第二の係止環２２の内側径に嵌合して両係止環１２、２２を一体化させた上で、ノーズパッド３ｄを被せて係止する。
【００４０】
（第二実施形態）
図８は、本発明の第二実施形態として、フレーム１にフルリム型眼鏡レンズ組立体４を止着する場合の構成を前方から見た状態を示す斜視図であり、上図はフレーム１へのフルリム型眼鏡レンズ組立体４の止着前、下図は止着後を示している。フルリム型眼鏡レンズ組立体４は、左右の眼鏡レンズ４０Ｌ、４０Ｒを抱持するよう一体的に成型されたリム部４３のブリッジ部に相当する箇所に下方に向けて先端に第二の係止環２２を有する一対の第二ノーズステー２１を取り付けている。なお、両係止環１２、２２の係止構造は第一実施形態と同様であり、ノーズパッド３に代えてノーズパッド３ｂ、３ｃあるいは３ｄを用いた係止構造としても良い。
【００４１】
（第三実施形態）
図９は、本発明の第三実施形態として、フレーム１にフルリム型眼鏡レンズ組立体５を止着する場合の構成を前方から見た状態を示す斜視図であり、上図はフレーム１へのフルリム型眼鏡レンズ組立体５の止着前、下図は止着後を示している。また、図１０はこれを上方から見た図である。フルリム型眼鏡レンズ組立体５には、第二実施形態のリム部４３に、第二ノーズステー２１に代えて、先端に嵌合部５２を有するステー一体型のノーズパッド５１を一体的に設けたリム部５３を用いる。止着時には、嵌合部５２を係止環１２に嵌合させることによりフルリム型眼鏡レンズ組立体５をフレーム１に止着する。なお、嵌合部の構成は、前述のノーズパッド３、３ｂ、３ｃのいずれを用いても良い。
【００４２】
なお、第一実施形態及び第二実施形態に係る止着構造は、眼鏡レンズ組立体を止着せずにフレーム１のみを単体で使用する場合のフレーム構造の補強にも用いることができる。すなわち、眼鏡レンズ組立体なしの場合、一対の第一ノーズステーはフレーム本体１０への取付部のみで支持されているため、使用時には容易に変形して間隔が開いてしまうおそれがあるが、ここで、図１１に示すように、一対の第二ノーズステーを一体化して先端に一対の係止環６１を有する鞍型のノーズステー６０を用い、ノーズパッド３で両係止環１２、６１を係止することで、上記の第一ノーズステーの変形を防止する補強部材として用いることができる。これにより、一定の重量を有するデバイス１３を装着した状態でも、第一ノーズステーの間隔が不用意に開いてしまうおそれなく、フレーム１を安定して使用することが可能となる。
【００４３】
以上、本発明に係る眼鏡レンズ組立体の止着構造及び該止着構造を適用した眼鏡に係るの実施形態の具体的な構成について詳細に説明したが、本発明は上記実施形態に限定されるものではなく、本発明の技術的思想の範囲内において改良又は変更が可能であり、それらは本発明の技術的範囲に属するものである。
【産業上の利用可能性】
【００４４】
本発明に係る眼鏡レンズ組立体の止着構造及び該止着構造を適用した眼鏡によれば、
規格化した単一のフレームに様々な形態・構造の眼鏡レンズ組立体を、容易にかつ脱着可能に止着することが可能となるから、使用者の眼鏡使用の選択肢を拡大するとともに、フレームのデザイン・設計の自由度を向上できる。
【００４５】
また、ウェアラブル・コンピュータのデバイスを装着したシンプルな構造の軽量フレームに、眼鏡レンズ組立体を着脱可能に止着できるから、眼鏡の使用者、非使用者を問わず共通して適用可能なフレームを提供可能となり、ウェアラブル・コンピュータの普及をより促進することができる。
【図面の簡単な説明】
【００４６】
【図１】本発明を適用するフレーム１を前方及び斜め上方から見た斜視図
【図２】本発明の第一実施形態に係る眼鏡レンズ組立体２のフレーム１への止着構造を前方から見た状態を示す斜視図
【図３】本発明の第一実施形態に係る眼鏡レンズ組立体２のフレーム１への止着構造を上方から見た状態を示す斜視図
【図４】本発明の第一実施形態に係るノーズパッド３による係止状態を説明する拡大斜視図
【図５】本発明の第一実施形態に係るノーズパッド３ｂを適用した場合を示す拡大斜視図
【図６】本発明の第一実施形態に係るノーズパッド３ｃを適用した場合を示す拡大斜視図
【図７】本発明の第一実施形態に係るノーズパッド３ｄを適用した場合を示す拡大斜視図
【図８】本発明の第一実施形態に係るノーズパッド３ｄを適用した場合の他の構成を示す拡大斜視図
【図９】本発明の第二実施形態に係るフルリム型眼鏡レンズ組立体４のフレーム１への止着構造を前方から見た状態を示す斜視図
【図１０】本発明の第三実施形態に係るフルリム型眼鏡レンズ組立体５のフレーム１への止着構造を前方から見た状態を示す斜視図
【図１１】本発明の第三実施形態に係るフルリム型眼鏡レンズ組立体５のフレーム１への止着構造を上方から見た状態を示す平面図
【図１２】本発明を眼鏡レンズ組立体を使用しないフレーム１の構造補強に応用した場合を正面から見た斜視図
【符号の説明】
【００４７】
１        フレーム
１０      フレーム本体
１１      第一ノーズステー
１２      第一の係止環
１３      デバイス
１４      凸部
２        眼鏡レンズ組立体（第一実施形態）
２０Ｌ、２０Ｒ   眼鏡レンズ（第一実施形態）
２１      第二ノーズステー
２２      第二の係止環
２３      ブリッジ部材
３、３ｂ、３ｃ、３ｄ    ノーズパッド
３０      パッド部
３１      嵌合部
３２      ストッパー部
３３      係止爪
３４      開口部
４        眼鏡レンズ組立体（第二実施形態）
４０Ｌ、４０Ｒ   眼鏡レンズ（第二実施形態）
４３      リム部（第二実施形態）
５        眼鏡レンズ組立体（第三実施形態）
５０Ｌ、５０Ｒ   眼鏡レンズ（第三実施形態）
５１      ノーズパッド（第三実施形態）
５２      嵌合部（第三実施形態）
５３      リム部（第三実施形態）
６０      鞍型のノーズステー
６１      係止環
【要約】 
【課題】
規格化された単一のデバイス付フレームに、任意の眼鏡レンズを組み合わせた眼鏡レンズ組立体を着脱可能に止着できる眼鏡レンズ組立体の止着構造及び眼鏡を提供する。
【解決手段】
第一の係止環を先端に有する一対の第一ノーズステーを備えるフレームに眼鏡レンズ組立体を止着する眼鏡レンズ組立体の止着構造であって、眼鏡レンズ組立体は第二の係止環を先端に有する一対の第二ノーズステーを備え、当接させた第一と第二の両係止環をノーズパッドで係止する。
【選択図】  図２【図１】
0005462931.tif 000002
【図２】
0005462931.tif 000003
【図３】
0005462931.tif 000004
【図４】
0005462931.tif 000005
【図５】
0005462931.tif 000006
【図６】
0005462931.tif 000007
【図７】
0005462931.tif 000008
【図８】
0005462931.tif 000009
【図９】
0005462931.tif 000010
【図１０】
0005462931.tif 000011
【図１１】
0005462931.tif 000012
【図１２】
0005462931.tif 000013